(57)【要約】【目的】鳥の啄みによるごみの散乱や果実の被害を防ぐための防護ネット及びその製造方法を提供すること。【解決手段】プラスチック製防鳥ネットにおいて、該プラスチック製防鳥ネットにマイナスイン発生材が存在することを特徴とする防鳥ネット及びその製造方法。【選択図】        なし【特許請求の範囲】
【請求項１】
プラスチック製防鳥ネットにおいて、該プラスチック製防鳥ネットにマイナスイン発生材が存在することを特徴とする防鳥ネット。
【請求項２】
防鳥ネットが糸を編網したネットであることを特徴とする請求項１に記載の防護ネット。
【請求項３】
防鳥ネットがシートから製網されたネットであることを特徴とする請求項１に記載の防護ネット。
【請求項４】
プラスチック粉末とマイナスイオン発生材とを混合し押出機により繊維またはシートに押出し、製網することを特徴とする防護ネットの製造方法。
【請求項５】
プラスチックから作成したネットにマイナスイオン発生材を含有する塗布液を塗布することを特徴とする防護ネットの製造方法。
【発明の詳細な説明】
【０００１】
【産業上の利用分野】
本発明は、ごみ収集所の生ごみを烏の食い散らかしを防ぐ、又は果実を鳥の啄みから防ぐための防鳥ネット及びその製造方法に関する。
【０００２】
【従来の技術】
従来、ごみの収集所に出された生ごみを烏の被害から守るため、または果樹園の果実を烏や鶫などの小鳥に食い荒らされるのを防ぐため、防護ネットが用いられている。しかし、従来の防護ネットは、ゴルフ練習場などに使用される軽ネットをそのまま使用することから、烏の喙がネットの網目内に入りごみ袋を食い破り中のごみを引き出し、散乱させるなどの被害があった。そこで、ネットの目合いを小さくし喙の網目内に入るのを防ぐことを図ったが烏や小鳥などが防護ネットにすぐに慣れ、ネットの隙間から生ごみを引きずり出す或は浸入し果実などを啄む鳥害を十分に防ぐことができなかった。
【０００３】
【発明が解決しようとする課題】
こうした欠点を解決するため連結した枠組立体に網を被せる防護ネット（特許文献１）やストッカーと呼ばれる構造体（特許文献２）が提案されたが、いずれも設置のためのスペースが必要である上に、費用もかかり、さらに取扱が面倒であるなどから十分に機能するものではなかった。
【０００４】
【特許文献１】
特開２００２−２２３６９０号公報
【特許文献２】
特開２００２−３６０１５２号公報
【０００５】
上記原状に鑑み、本発明者は鋭意研究した結果、防護ネットに特定のマイナスイオン発生材を存在させることで多くのマイナスイオンが放出され、烏や小鳥の接近が防げる上に、放出する線量が温度により変化することで学習効果もなく、長期間にわたって鳥から生ごみや果実を防ぐことのできる防護ネットが得られることを見出して本発明を完成したものである。
【０００６】
本発明は、鳥の啄みによるごみの散乱や鶫などの小鳥の啄みから果実の被害を護るための防護ネットを提供することを目的とする。
【０００７】
また、本発明は、上記防護ネットの製造方法を提供することを目的とする。
【０００８】
【課題を解決するための手段】
上記目的を達成するための本発明は、プラスチック製防鳥ネットにおいて、該プラスチック製防鳥ネットにマイナスイン発生材が存在することを特徴とする防鳥ネット及びその製造方法に関する。
【０００９】
本発明の防護ネットは、ポリエチレン、ポリプロピレン、ポリスチレン、ポリエステル、ナイロンなどのプラスチックから作成され、かつマイナスイン発生材が存在するネットである。前記マイナスイオン発生材とは、ジルコニウム系、けい素系セラミックス微粉末、温泉鉱石から得た天然鉱石微粉末、珪藻土にゲルマニウム鉱石又はその精製残渣の精製残渣を配合した粉末などから選ばれ、粒径が０．５〜５０μｍで、β線、γ線、遠赤外線などのマイナスイオンの放出線量が１００〜５，０００イオン／ｃｍ３の無機粉末をいい、前記「存在する」とは、プラスチック製ネットを構成する繊維中にマイナスイオン発生材が含有される、或はネット表面にマイナスイオン発生材が塗布などの手段で存在することをいう。特にポリエチレン製ネットにマイナスイオン発生材が存在する防護ネットはしなやかで取り扱いが容易で好ましい。前記マイナスイオン発生材の具体例としてメガイオンホワイト（ぴゅあイオン社製：シリカ粉を１７００℃で焼成し、ゲルマニウム成分を１２０ｐｐｍ含有する珪素系セラミックス）やカイヤセラー粉末（日本化薬社製：三朝温泉の温泉鉱石に類似の鉱物）が挙げられる。特にけい素系セラミックスにゲルマニウム成分を５０〜３００ｐｐｍの範囲で含有するメガイオンホワイトなどのマイナスイオン発生材は、低温時には酸化けい素に基づく遠赤外線やβ線などのマイナスイオンの放出があり、さらに温度が３２℃を超えるとゲルマニウム成分からのマイナスイオンの放出が多くなり、烏や鶫などの小鳥の接近が防げる上に、放出線量の変化で鳥、特に烏の学習効果もなく長期にわたって烏や小鳥の被害から生ごみや果実を防ぐことができる。
【００１０】
上記放射線量は、株式会社エコホリスティック製「簡易式マイナスイオン測定器：ＭＯＤＥＬ：ＥＢ−１２Ａ］により測定された値である。
【００１１】
上記防護ネットは、（ｉ）プラスチック粉末に上記マイナスイオン発生材を混ぜ、混練しペレット状に成形したのち押出紡糸機から５０〜５００デニールのフィラメントに押出し、延伸したのち２０〜７０本撚り合わせて糸とし、それを製網機で無結節網や結節網に製網する方法、（ｉｉ）押出機のＴダイから幅５０〜２００ｃｍのプラスチックシートを押出し、１ｍｍ〜１０ｃｍ間隔に突起のあるエンボスロールで孔を開け巻取る方法、或は（ｉｉｉ）網目模様を設けたエンボスローラーにプラスチックを押出し、網目模様の肉厚部分とその間の肉薄部分とをもつエンボスシートに形成し、延伸して肉薄部分を開孔し３ｍｍ〜２０ｃｍ角の目合いのネットとする方法などで製造される。特にゲルマニウム成分を含むマイナスイオン発生材を用いる場合には、配合成分としてカーボンブラックなどの濃色の顔料を少量配合するのがよい。これによりネットの温度が容易に上昇しゲルマニウム成分からのマイナスイオンの放出が多くなり好ましい。
【００１２】
本発明の防護ネットは、用途によりネットの太さや目合いを変えるがよいが、烏に対する防護ネットの場合、烏が大型であることから繊維の太さを１，０００〜３，０００デニールとし、かつ目合いを網目に烏の喙が入らない又は入ってもマイナスイオンが十分に機能する３〜１０ｍｍ角の範囲とするのがよい。一方、鶫などの小鳥から果実を守る果樹園用の防護ネットの場合には、マイナスイオンで小鳥の接近が防げる３〜２０ｃｍ角の目合いで十分であり、また繊維の太さもネットが破られない１００〜１，０００デニール程度でよい。
【００１３】
【発明の実施の形態】
本発明の実施の形態を具体的に説明するが、本発明の技術的思想から逸脱しない限り種々の態様例も可能である。
【００１４】
【実施例】
実施例１
軟質ポリエチレン粉末にメガイオンホワイト微粉末及びカーボンブラックを１８重量％混合しよく混練したのちチップ状に成形し、ノズル付き押出機から約２６０℃でモノフィラメント状に押出した。押し出しモノフィラメントを冷却水槽で冷却したのち、延伸機で約８倍に延伸して４００デニールのポリエチレン繊維を得た。この繊維を６０本撚り合わせて糸にし、製網機で目合い４ｍｍ角の無結節網に製網した。得られた防護ネットからは１，３００イオン／ｃｍ３（前出の測定法）のマイナスイオンが放射された。この防護ネットで生ごみの袋を被ったところ、烏の接近がなく、それが約１ヶ月間続いた。
【００１５】
実施例２
軟質ポリエチレン粉末にメガイオンホワイト微粉末及びカーボンブラックを３０重量％混合しよく混練したのちチップ状に成形し、Ｔダイ付き押出機から約２６０℃で幅１００ｃｍのシートに押出した。押出シートを３ｍｍ間隔の突起を有するエンボスロールでパンチングし孔を開け巻取って防護ネットを製造した。該防護ネットからは２，０００イオン／ｃｍ３（前出の測定法）のマイナスイオンが放射された。この防護ネットで生ごみの袋を被ったところ、烏の接近がなかった。また、前記防護ネットを用いて約１ヶ月間生ごみの袋を被ったが烏による食い荒しがなかった。
【００１６】
比較例１
実施例１において、メガイオンホワイト微粉末を配合しない以外、同様な紡糸法で４００デニールのポリエチレンフィラメントを得、それで製網して防護ネットを作成し、生ごみの袋を被ったところ、翌日には生ごみの袋が破られ、ごみが散乱し、悪臭がした。
【００１７】
【発明の効果】
本発明の防護ネットは、マイナスイオン発生材が存在し、発生するマイナスイオンで鳥の接近を防ぐととともに、気温により放射線量が変わることから鳥の学習効果もなく、長期にわたりごみや果実を守ることができるネットである。該ネットは、プラスチック粉末にマイナスイオン発生材を混合し、押し出してフィラメントとし、或はシートに形成し、製網する製造方法で製造でき、低価格で製造でき工業的価値の高いものである。